(57)【要約】【課題】ドア枠とドアとの間にコンパクトに設置され、しかもドアの開閉に応じて給電停止および給電の切替を行いうる給電装置を提供すること。【解決手段】(a)導電性および磁性を持った少なくとも２つの端子を有し、ドアの開放側端面に該端面に直角方向に設定された摺動方向に沿って摺動可能に支持された給電端子１０１と、駆動力が与えられて前記給電端子を前記摺動方向に出没させる操作機構１０２，１２８と、給電されることにより前記操作機構に駆動力を与える駆動源１２１とを有するドア枠側手段、および(b)少なくとも２つの金具を有し、前記給電端子と接触して該給電端子との間で通電する接点金具２０１と、この接点金具の近傍に設けられて前記給電端子を前記接点金具に向けて磁気吸着するマグネット２０２とを有するドア側手段、をそなえたドア枠側とドア側との間の給電装置。【選択図】図１
0003121177.tif 000002
【実用新案登録請求の範囲】
【請求項１】
それぞれドアおよびドア枠に取り付けられる、下記の(a)ドア枠側手段および(b)ドア側手段をそなえた接点式給電装置。
(a)導電性および磁性を持った少なくとも２つの端子を有し、前記ドア枠における前記ドアの開放側端面との対向面に、該対向面に直交する摺動方向に沿って摺動可能に支持された給電端子と、
駆動力が与えられて前記給電端子を前記摺動方向に出没させる操作機構と、
前記ドアの開閉に関連して給電されることにより前記操作機構に駆動力を与える駆動源と
を有するドア枠側手段。
(b)少なくとも２つの金具を有し、前記給電端子と接触して該給電端子との間で通電する受電端子と、
この受電端子の近傍に設けられて前記給電端子を前記受電端子に向けて磁気吸着するマグネットと
を有するドア側手段。
【請求項２】
請求項１記載の接点式給電装置において、
前記駆動源は、回転式モータであり、
前記操作機構は、前記駆動源の回転により回動されるカムを持ったカム機構であることを特徴とする接点式給電装置。
【請求項３】
請求項１記載の接点式給電装置において、
前記操作機構は、前記給電端子を弾性支持しており、前記駆動源からの駆動力が与えられると、前記摺動方向に沿って移動する移動板を有することを特徴とする接点式給電装置。
【請求項４】
請求項１記載の接点式給電装置において、
前記ドア側手段には、前記ドアが前記ドア枠に接近したことを知らせる第１の手段が、また前記ドア枠側手段には、前記ドアが閉じたことを検出する第２の手段が設けられたことを特徴とする接点式給電装置。
【請求項５】
請求項４記載の接点式給電装置において、
前記第１の手段は、マグネットであり、前記第２の手段は磁気検知手段であることを特徴とする接点式給電装置。
【請求項６】
請求項1記載の接点式給電装置において、
前記給電端子は、前記ドアの前記開放側端面から没する方向に常時付勢力が与えられており、前記駆動源により前記付勢力に抗して前記開放側端面から突出するように駆動されることを特徴とする接点式給電装置。
【請求項７】
請求項1記載の接点式給電装置において、
前記給電端子は、前記摺動方向に沿って移動可能な給電端子カバーに収容されていることを特徴とする接点式給電装置。
【請求項８】
請求項1記載の接点式給電装置において、
前記給電端子および前記受電端子のほかに、信号伝送用端子を付設した接点式給電装置。
【請求項９】
導電性および磁性を持った少なくとも２つの端子を有し、ドア枠におけるドアの開放側端面との対向面に、該対向面に直交する摺動方向に沿って摺動可能に支持された給電端子と、
駆動力が与えられて前記給電端子を前記摺動方向に出没させる操作機構と、
前記ドアの開閉に関連して給電されることにより前記操作機構に駆動力を与える駆動源と
をそなえたドア枠側手段。
【請求項１０】
少なくとも２つの金具を有し、ドアの開放側端面に設けられてドア枠側に設けられた給電端子と接触することにより該給電端子との間で通電する受電端子と、
この受電端子の近傍に設けられて前記給電端子を前記受電端子に向けて磁気吸着するマグネットと
をそなえたドア側手段。
【考案の詳細な説明】
【技術分野】
【０００１】
本考案は、ドア枠からドアに給電する装置に係わり、とくにドアの開閉によりドア枠側からドア側に対して給電停止および給電を切換えるものに関する。
【背景技術】
【０００２】
住宅の防犯対策として、出入り口、とくにドアに電子装置を設置することがある。この場合、電源は電池であってもよいが、可動部であるドアに対して固定側であるドア枠から商用電源を供給することができれば、一層便利である。
【０００３】
これには、従来、ドア枠とドアとの間に伸張性ケーブルを渡しておき、このケーブルにより給電するものがある。
【０００４】
また、特殊なバネ機構を持った接点部材をドア枠のドアとの対向部に配することにより、ドアに対する電気的接続を実現したものもある（特許文献１参照）。
【特許文献１】特開平11-213810号公報
【考案の開示】
【考案が解決しようとする課題】
【０００５】
しかしながら、ケーブルを用いると、常にドア周りにケーブルが存在することが煩わしく、また、ドアの動きによってケーブルが損傷することもある。また、接点部材をドア枠のドアとの対向部に配置したものは、ドアを開いたときに接点部材が露出して危険である。
【０００６】
本考案は上述の点を考慮してなされたもので、ドア枠とドアとの間にコンパクトに設置されてドアの開閉に応じて給電停止および給電の切替を行い得、しかも給電部材が外部に露出せず安全性の高い給電装置を提供することを目的とする。
【課題を解決するための手段】
【０００７】
上記目的達成のため、本考案では、下記の接点式給電装置を提供するものである。すなわち、
それぞれドアおよびドア枠に取り付けられる、下記の(a)ドア枠側手段および(b)ドア側手段をそなえた接点式給電装置。
【０００８】
(a)導電性および磁性を持った少なくとも２つの端子を有し、前記ドア枠における前記ドアの開放側端面との対向面に、該対向面に直交する摺動方向に沿って摺動可能に支持された給電端子と、
駆動力が与えられて前記給電端子を前記摺動方向に出没させる操作機構と、
前記ドアの開閉に関連して給電されることにより前記操作機構に駆動力を与える駆動源と
を有するドア枠側手段。
【０００９】
(b)少なくとも２つの金具を有し、前記給電端子と接触して該給電端子との間で通電する受電端子と、
この受電端子の近傍に設けられて前記給電端子を前記受電端子に向けて磁気吸着するマグネットと
を有するドア側手段。
【考案の効果】
【００１０】
本考案は上述のように、ドアの開閉に応じて給電端子を出没させるようにしたため、ドア閉時のみドア枠からドアに向けて給電し、ドア開時は給電端子が露出しないようにでき、安全性の高い給電装置を提供することができる。
【考案を実施するための最良の形態】
【００１１】
以下、添付図面を参照して本考案の実施形態を説明する。
【実施形態１】
【００１２】
図1は、本考案の実施形態１の内部構造を示す縦断面図である。この図1は、図示左側のドア枠（図示せず）に取り付けられる給電側装置１００と、ドア（図示せず）に取り付けられて給電側装置１００から給電される受電側装置２００とにより構成されている。
【００１３】
給電側装置１００にはマグネットスイッチ１０が、また受電側装置２００にはマグネット２０が設けられており、これらマグネット１０とマグネットスイッチ２０との協働によりドアの開閉に応じた動作が行われる。
【００１４】
すなわち、ドアが閉じられて、マグネット２０が給電側装置１００のマグネットスイッチ１０と対向すると、マグネットスイッチ１０がオンとなり、これに基く図示しない制御回路の動作により給電側装置から受電側装置に対して給電する動作が行われる。
【００１５】
一方、ドアが開かれると、マグネット２０がマグネットスイッチ１０から離れるため、マグネットスイッチ１０がオフになって給電を停止する動作が行われる。
【００１６】
給電側装置１００から受電側装置２００への給電は、給電側装置１００のドアに対向する面に設けられた給電端子１０１がドアに向かって突出し、ドアの開放側端面に設けられた受電金具２０１に接触することにより行われる。給電を停止するには、ドアを開ける。これにより、給電端子１０１が給電側装置１００の内部に引っ込む。
【００１７】
このために、給電端子１０１は、移動板１０２に固定支持されて給電側装置１００から受電側装置２００に向かう方向に沿って出没し得るように、給電端子カバー１１１に対して摺動し得る構造となっている。そして、給電端子カバー１１１は、取付けバネ１１２により本体ケース１１０に支持されており、この取付けバネ１１２の伸縮、とくに伸張により給電端子１０１の摺動方向に沿って移動することができる。
【００１８】
移動板１０２は、給電端子１０１に嵌装された一対の側部バネ１０３、およびその中間に設けられた中央バネ１０４により、常に図示左側に向かう付勢力を受けているとともに、背後（図示左側）にカム１２８が配されており、このカム１２８が側部バネ１０および中央バネ１０４による付勢力に抗して摺動板１０２を図示右方向に押し出す作用を行う。
【００１９】
このカム１２８による押出し作用は、ドアが閉じたときに行われ、これにより給電端子１０１が受電端子２０１に当接した状態となる。この結果、ドアが閉じている間中、給電端子１０１から受電端子２０１への給電が行われる。
【００２０】
一対の側部バネ１０３および中央バネ１０４は、ともに伸張性バネであり、摺動板１０２を図示左方向に常時押圧している。したがって、摺動板１０２の背後をカム１２８が押し出さないときは、摺動板１０２は給電端子１０１とともに給電端子カバー１１１の内部に収納された状態となり、給電端子１０１の先端さえも露出しない。したがって、給電端子に接触して感電したり、給電端子間が短絡したりすることがない。
【００２１】
図1の状態は、ドアが閉じて給電が行われているときの給電端子１０１の状態を示している。図示の都合上、受電側装置２００は、給電側装置１００との間に間隔が空いて描かれているが、実際は給電端子１０１の先端が受電端子２０１に接触している。
【００２２】
そして、給電端子１０１は磁性を持つ材料で形成されており、受電端子２０１の近傍に設けられた吸引磁石２０２により吸引されることにより、給電端子１０１と受電端子２０１とが安定的に接触し、導通状態を保つように構成されている。
【００２３】
図２は、給電端子１０１、摺動板１０２を給電端子カバー１１１に対して図示左右方向に摺動させるカム機構の構造および動作を示す斜視図であり、カム１２８を作動させるための関連部材およびその機構を示している。
【００２４】
カム１２８は、常時与えられている回動習性によって反時計方向に回動し、ドア閉めにより作動する制御回路（図示せず）が駆動するモータからの回動習性とは反対方向への回動力により時計方向に回動するものである。
【００２５】
すなわち、カム１２８に対しては、上述したように、バネ１０４（およびバネ１０３）により想像線で示す方向（図示反時計方向）に作用力が与えられており、この結果、カム１２８は図示反時計方向への回動習性が与えられている。
【００２６】
そして、このカム１２８の想像線で示した図示反時計方向への回動習性は、ドアが閉じているとき、カムシャフト１２７により連結されているカム１２６の先端がカム１２５の先端に当接することにより規制されている。したがって、カム１２８およびカム１２６は、図示実線位置と図示想像線位置との間の限定された範囲で、図示反時計方向への回動習性による回動と図示時計方向への駆動による回動とを行う。
【００２７】
このカム１２５は、ドアが閉じたときに図示しない制御回路が始動してモータ１２１を作動させることにより駆動されて回動を始め、カム１２６の先端から離れる。そして、モータ１２１は、カム１２３がリミットスイッチ１２４を作動させるまで回動し、そこで停止する。モータ１２１は、次にドアが閉じてマグネットスイッチ１０から制御回路に信号が与えられたときに、制御回路により通電されて再び回動する。
【００２８】
カム１２５の回転によりカム１２６の先端がカム１２５から離れると、カム１２６に対する規制がなくなるから、カムシャフト１２７によって連結されたカム１２８は、さらに図示反時計方向に回動し、想像線で示すいわば横向きの位置まで回動する。
【００２９】
このとき、摺動板１０２および給電端子１０１には、カム１２６によって押されておらず、専ら吸引磁石２０２の吸引作用によって給電端子１０１が受電端子２０１に接触した状態を維持して給電を行っている。
【００３０】
そして、ドアが開くと、給電端子１０１は受電端子２０１から離れ、これと同時に吸引磁石２０２の吸引作用が利かなくなるため、バネ１０３，１０４の伸張力によって摺動板１０２とともに給電端子カバー１１１の内部に引き込まれる。これにより、摺動板１０２は、バネ１０３，１０４により最大限に押し込まれて給電端子１０１を一番奥の位置まで引っ込ませる。
【００３１】
摺動板１０２および給電端子１０１が一番奥の位置まで引っ込んだとき、カム１２７（およびカム１２７と連動するカム１２６）は想像線で示す回転位置まで回動し、この位置で停止する。
【００３２】
この後、再びドアが閉じると、マグネットスイッチ１０がオンになって図示しない制御回路がモータ１２１を所定方向に回転させ、カム１２５の先端が想像線の位置にあるカム１２６の先端を押して、カム１２６およびカム１２７を、図２に実線で示す位置まで回動させて停止する。このような動作を、ドアの開閉の度に繰返す。
【他の実施形態】
【００３３】
実施形態１では、ドアの開閉に応じた給電端子の出没を、カム機構とモータとの組み合わせによる回動式構成で作動させているが、他の要素を用いて構成することもできる。例えば、リニアモータ、プランジャ式等の直進式駆動源を用いた機構とか、給電端子カバー内の空間を、エア等の流体を出し入れする膨張収縮室と流体式駆動源とを有する機構としてもよい。
【００３４】
また、実施形態１では、ドア枠側とドア側との間の給電のみを説明したが、信号を伝送するための端子を付設してもよい。
【図面の簡単な説明】
【００３５】
【図１】本考案の実施形態１の構成を示す説明図。
【図２】図1に示した実施形態１における給電端子の出没機構を示す説明図。
【符号の説明】
【００３６】
１０  マグネットスイッチ、２０マグネット、１００  給電側装置、
１０１  給電端子、１０２  移動板、１０３  側部バネ、１０４  中央バネ、
１１１  給電端子カバー、１１２  取付けバネ、１２１モータ、
１２２  ギヤユニット、１２３  カム、１２４  リミットスイッチ、
１２５  カム、１２６  カム、１２７  カムシャフト、１２８  カム、
２００  受電側装置、２０１  受電金具、２０２  吸引磁石。
【図１】
0003121177.tif 000003
【図２】
0003121177.tif 000004